(57)【要約】【課題】  室内に居る人に閉塞感を与えず、外からの視線を遮りつつ必要な分だけ風や光を取り入れることができるスクリーン装置の提供。【解決手段】  屋外に立設した左右の支柱１，１と、支柱に支持した一方及び他方のパネル２，３を備え、一方及び他方のパネルは、開口部４ａ，４ｂと非開口部５ａ，５ｂを複数有し、一方のパネルの開口部４ａと他方のパネルの非開口部５ｂ、一方のパネルの非開口部５ａと他方のパネルの開口部４ｂがそれぞれ前後方向に重なっており、一方のパネル２は、複数のパンタグラフ６，６，…により平行突き出し自在に支柱に支持してあり、複数のパンタグラフ６，６，…を連動させる連動機構７を有している。【選択図】      図１
2010095928.tif 000002
【特許請求の範囲】
【請求項１】
屋外に立設した左右の支柱と、支柱に支持した一方及び他方のパネルを備え、一方及び他方のパネルは、開口部と非開口部を複数有し、一方のパネルの開口部と他方のパネルの非開口部、一方のパネルの非開口部と他方のパネルの開口部がそれぞれ前後方向に重なっており、一方のパネルは、複数のパンタグラフにより平行突き出し自在に支柱に支持してあり、複数のパンタグラフを連動させる連動機構を有していることを特徴とするスクリーン装置。
【請求項２】
左右の支柱間に横枠が架設してあり、連動機構は、支柱内で上下のパンタグラフの可動部を連結する連結部材と、連結部材同士を繋ぐワイヤーを有し、ワイヤーは、横枠内で交差し且つ各支柱に設けた滑車に掛けて支柱間に８の字状に掛け渡してあり、ワイヤーの交差部に対して左右対称な位置に連結部材を連結してあることを特徴とする請求項１記載のスクリーン装置。
【請求項３】
他方のパネルは、上下方向又は左右方向にスライド自在に支柱に支持してあり、他方のパネルをスライドさせたときに一方のパネルの開口部と他方のパネルの開口部が前後方向に重なること特徴とする請求項１又は２記載のスクリーン装置。
【発明の詳細な説明】
【技術分野】
【０００１】
本発明は、防犯やプライバシーの保護等を目的として設置されるスクリーン装置に関する。
【背景技術】
【０００２】
従来、防犯性の向上や目隠し等の目的で窓の室外側に可動ルーバーやシャッター等を設置しているが、これらは開けると外から丸見えになり、閉めると採風・採光ができず、また裏表があり室内からの見栄えが悪いものであった。
特許文献１記載のルーバー装置は、窓部の室内側に２枚のガラリルーバーを重ねて設置するため、室内の居住者に強い圧迫感や閉塞感を与えかねず、またガラリルーバーを窓枠内の範囲でスライドさせたぐらいでは十分な採風が得られない。さらに、室内から庭等がよく見えなくなる。
【特許文献１】特開２００２−９７８６７号公報
【発明の開示】
【発明が解決しようとする課題】
【０００３】
本発明は以上に述べた実情に鑑み、室内に居る人に閉塞感を与えず、外からの視線を遮りつつ必要な分だけ風や光を取り入れることができるスクリーン装置の提供を目的とする。
【課題を解決するための手段】
【０００４】
上記の課題を達成するために請求項１記載の発明によるスクリーン装置は、屋外に立設した左右の支柱と、支柱に支持した一方及び他方のパネルを備え、一方及び他方のパネルは、開口部と非開口部を複数有し、一方のパネルの開口部と他方のパネルの非開口部、一方のパネルの非開口部と他方のパネルの開口部がそれぞれ前後方向に重なっており、一方のパネルは、複数のパンタグラフにより平行突き出し自在に支柱に支持してあり、複数のパンタグラフを連動させる連動機構を有していることを特徴とする。
【０００５】
請求項２記載の発明によるスクリーン装置は、請求項１記載の発明の構成に加え、左右の支柱間に横枠が架設してあり、連動機構は、支柱内で上下のパンタグラフの可動部を連結する連結部材と、連結部材同士を繋ぐワイヤーを有し、ワイヤーは、横枠内で交差し且つ各支柱に設けた滑車に掛けて支柱間に８の字状に掛け渡してあり、ワイヤーの交差部に対して左右対称な位置に連結部材を連結してあることを特徴とする。
【０００６】
請求項３記載の発明によるスクリーン装置は、請求項１又は２記載の発明の構成に加え、他方のパネルは、上下方向又は左右方向にスライド自在に支柱に支持してあり、他方のパネルをスライドさせたときに一方のパネルの開口部と他方のパネルの開口部が前後方向に重なること特徴とする。
【発明の効果】
【０００７】
請求項１記載の発明によるスクリーン装置は、屋外に立設した左右の支柱に一方及び他方のパネルを支持したので、窓に取付けられるものとは異なり、室内に居る人に閉塞感を与えずに敷地外からの視線を遮ることができ、しかも一方のパネルを平行突き出しすることで遮視性を確保しながら十分な採風が得られる。一方のパネルは、複数のパンタグラフにより支柱に支持してあり、複数のパンタグラフは連動機構により連動するため、大型のパネルであってもがたつくことなく容易に平行突き出しできる。
【０００８】
請求項２記載の発明によるスクリーン装置は、連動機構にワイヤーを用いることで、連動機構の構造を簡単にでき、パネルの大型化にも容易に対応できる。
【０００９】
さらに、請求項３記載の発明によるスクリーン装置は、他方のパネルをスライドさせると一方のパネルの開口部と他方のパネルの開口部が前後方向に重なるので、光を採り込めると共に採風性が一層高まり、開放感が得られる。
【発明を実施するための最良の形態】
【００１０】
以下、本発明の実施の形態を図面に基づいて説明する。図２〜４は本発明のスクリーン装置の一実施形態を示す斜視図であり、図１は同スクリーン装置の縦断面図である。本スクリーン装置は、例えば図１１に示すように、居室の窓２０の外の道路４４や隣家の敷地４５との境界部に設置される自立型のスクリーン装置１３であって、地面から立設した左右の支柱１，１と、支柱１，１の上端部間に架設した横枠８と、左右の支柱１，１間に支持した前後２枚のパネル２，３を備えている。前側のパネル２は、図３と図１（ｂ）に示すように、平行突き出し自在に支柱１，１に支持してあり、後側のパネル３は、図４と図１（ｃ）に示すように、下方にスライド自在に支持してあり、このようにパネル２，３を動かすことで、窓２０に取り込む風や光の量を調節することができる。
【００１１】
前側のパネル２は、図１２に示すように、上框２１ａと下框２２ａと左右の縦框２３ａ，２３ａを枠組みして外周の枠を形成すると共に、上下框２１ａ，２２ａ間に縦桟２４ａを左右方向に間隔をおいて複数架設してフレームが構成され、該フレームの前面側に複数の板材５ａが千鳥状の配置で取り付けてある。板材５ａは、小さな孔が多数設けられたアルミ製のパンチングパネルを使用している。中間の縦桟２４ａには、パネル２を前後に動かすときに使用するハンドル２５が取り付けてある。なおハンドル２５は、使用しないときには根元側を支点に上方に回動し、縦桟２４ａ内の収納部２６に収納できるようにしてある。
後側のパネル３は、前側のパネル２と同様に、上框２１ｂと下框２２ｂと左右の縦框２３ｂ，２３ｂと複数の縦桟２４ｂとでフレームを構成し、該フレームの後面側に複数の板材５ｂを千鳥状の配置で取り付けている。
前側のパネル２と後側のパネル３とでは、板材５ａ，５ｂにより塞いだところ（非開口部）と開口部４ａ，４ｂとが互いに逆の配置になっており、図２と図１（ａ）に示すように前後のパネル２，３を重ねた状態では、パネルの面全体が板材５ａ，５ｂにより塞がれている。パネル２，３は、上下寸法が約１．４ｍ、左右寸法が約１．８ｍもある大型のものとなっている。
【００１２】
次に、各パネル２，３の支持構造を図５〜図１０に即して説明する。前側のパネル２は、左右の縦框２３ａ，２３ａと左右の支柱１，１間に上下２つずつ設けた、計４つのＸ字状のパンタグラフ６，６，…により支持してある。図５，６に示すように、各パンタグラフ６の端部に設けた４本の軸２７ａ，２７ｂ，２７ｃ，２７ｄのうち、後側の下側の軸２７ａは支柱１に固定してあり、前側の下側の軸２７ｂは縦框２３ａに固定してある。後側の上側の軸２７ｃは、支柱１に取り付けたレール２８に沿って上下にスライドするスライダー２９に固定してあり、前側の上側の軸２７ｄは、縦框２３ａに取付けたレール３０に沿って上下にスライドするスライダー３１に固定してある。図５（ｂ）に示すように前側のパネル２を突き出すと、それにつれて各スライダー２９，３１が上方にスライドする。さらに、上側のパンタグラフ６の後側の上側の軸２７ｃと、下側のパンタグラフ６の後側の上側の軸２７ｃとは、棒状の連結部材９で連結してある。連結部材９は、ワイヤー連結部３２を有している。
左右の支柱１，１内には滑車１１が取付けてあり、図８に示すように、左右の支柱の滑車１１，１１間にワイヤー１０を、横枠８内で交差させて８の字状に掛け渡してある。このワイヤー１０の交差部１２に対して左右対称な位置に、左右の支柱内に設けた連結部材９のワイヤー連結部３２を連結してある。支柱１と横枠８の連結部には、ワイヤー１０を通す溝が形成されたワイヤーガイド部材３３を取付けてある。以上に述べたように、各パンタグラフ６の支柱１側の可動軸２７ｃを連結部材９とワイヤー１０により連結してあることで、４つのパンタグラフ６，６，…全てが連動して動作するようになっている。
【００１３】
後側のパネル３は、図５，６に示すように、縦框２３ｂの上部に設けたガイド部３４を支柱１に形成した上下方向の長孔３５にガイドし、さらに縦框２３ｂと支柱１間に上下方向に取付けたリニアガイド３６により、上下方向にスライド自在に支持してある。支柱１内にはバネを内蔵したバランサー３７を設置してあり、バランサー３７により縦框２３ｂの下部３８を上方に吊り上げている。
下框２２ｂには、後側のパネル３を所定の高さに停止しておくためのストッパー機構３９を有している。ストッパー機構３９は、図９に示すように、下框２２ｂの下面に突出して設けた操作部４０と、操作部４０と連結して設けた円盤状の駆動部材４１と、駆動部材４１に連結して縦框２３ｂから突き出したストッパー棒４２を有し、ストッパー棒４２を支柱１に形成した孔４３ａ，４３ｂに差し込むことで、後側のパネル３が所定高さに停止する。図１０に示すように、操作部４０を９０°回転させると、ストッパー棒４２が駆動部材４１に引っ張られて支柱１の孔４３ａ，４３ｂから抜け、後側のパネル３を上下にスライドできる状態になる。このようにストッパー機構３９を解除したときでも、縦框２３ｂの下部３８をバランサー３７で吊り上げているため、後側のパネル３は自然に落下しない。ストッパー棒４２を差し込む孔４３ａ，４３ｂは、図５，６に示すように、板材５ａ，５ｂの１枚の高さに相当する間隔をあけて上下二箇所に設けてあり、ストッパー棒４２を上側の孔４３ａに差し込んだときには、後側のパネル３は前側のパネル２と同じ高さで停止し、ストッパー棒４２を下側の孔４３ｂに差し込んだときには、後側のパネル３は板材５ａ，５ｂ１枚の高さ分だけ下がった位置で停止する。
【００１４】
本スクリーン装置は、図２と図１（ａ）に示すように、前側のパネル２と後側のパネル３を重ねた状態にすれば、パネルの面全体が板材５ａ，５ｂにより塞がれ、外からの視線を遮ることができる。本スクリーン装置は、窓２０の外の屋外に設けるため、室内に居る人に閉塞感を与えず、窓２０から庭を眺めることもできる。また本スクリーン装置は、室内側から見ても敷地外から見ても同一のすっきりした美しいデザインになっている。
図３と図１（ｂ）に示すように、前側のパネル２を突き出させると、前後のパネル２，３の間隔が前後方向に広がるため、前後のパネル２，３の開口部４ａ，４ｂ間、及び前側のパネル２の周囲と前側のパネル２の開口部４ａを通じて風４６が採り込まれる。この状態で正面から見ると、前側のパネル２を突き出す前と同様に、前側のパネル２の開口部４ａと後側のパネル３の板材５ｂ、前側のパネル２の板材５ａと後側のパネル３の開口部４ｂがそれぞれ前後方向に重なっている状態なので、遮視性を確保しながら採風できる。前側のパネル２は、４つのパンタグラフ６，６，…により支柱１に支持してあり、連結部材９とワイヤー１０とよりなる連動機構７により全てのパンタグラフ６，６，…が連動するようになっているため、パネル２が左右方向や上下方向に傾いたりがたついたりすることなく、スムーズに平行突き出しできる。なお前側のパネル２は、最大で約１５０ｍｍ前方に動かすことができ、途中で停止させることもできる。
図４と図１（ｃ）に示すように、後側のパネル３を下方にスライドさせると、前側のパネル２の開口部４ａと後側のパネル３の開口部４ｂとが前後方向に重なり、より一層の採風性を確保できると共に、開口部４ａ，４ｂを通じて採光できる。後側のパネル３は、バランサー３７により吊ってあるため、軽い力で上下にスライドできる。
【００１５】
本発明は以上に述べた実施形態に限定されない。パネル２，３の構成は任意であり、パネルの開口部４ａ，４ｂと非開口部５ａ，５ｂの配置及び形状は自由に設定することができる。他方のパネル３（後側のパネル）は、左右方向にスライド自在に設けることもできる。本発明のスクリーン装置は、突き出す方のパネル２を道路等の側に向けて設置することもできる。
【図面の簡単な説明】
【００１６】
【図１】本発明のスクリーン装置の縦断面図であって、（ａ）は一方及び他方のパネルを重ねた状態、（ｂ）は一方のパネルを突き出した状態、（ｃ）は一方のパネルを突き出すと共に他方のパネルを下方にスライドした状態を示している。
【図２】本発明のスクリーン装置の斜視図であって、一方及び他方のパネルを重ねた状態を示している。
【図３】本発明のスクリーン装置の斜視図であって、一方のパネルを突き出した状態を示している。
【図４】本発明のスクリーン装置の斜視図であって、一方のパネルを突き出すと共に他方のパネルを下方にスライドした状態を示している。
【図５】本発明のスクリーン装置の側面図であって、（ａ）は一方及び他方のパネルを重ねた状態、（ｂ）は一方のパネルを突き出した状態を示している。
【図６】本発明のスクリーン装置の側面図であって、一方のパネルを突き出すと共に他方のパネルを下方にスライドした状態を示している。
【図７】図５のＡ−Ａ断面図である。
【図８】ワイヤーの取付状態を示す図であって、（ａ）は平面図、（ｂ）は正面図、（ｃ）は左側面図、（ｄ）は右側面図である。
【図９】他方のパネルの下框に設けたストッパー機構を示す図であって、（ａ）は平面図、（ｂ）は正面図、（ｃ）は底面図である。
【図１０】同ストッパー機構を解除したときの状態を示す図であって、（ａ）は平面図、（ｂ）は正面図、（ｃ）は底面図である。
【図１１】本発明のスクリーン装置の設置状態の一例を示す平面図である。
【図１２】一方及び他方のパネルを分離した状態で示す斜視図である。
【符号の説明】
【００１７】
１  支柱
２  前側のパネル（一方のパネル）
３  後側のパネル（他方のパネル）
４ａ，４ｂ  開口部
５ａ，５ｂ  板材（非開口部）
６  パンタグラフ
７  連動機構
８  横枠
９  連結部材
１０  ワイヤー
１１  滑車
１２  ワイヤーの交差部
【図１】
2010095928.tif 000003
【図２】
2010095928.tif 000004
【図３】
2010095928.tif 000005
【図４】
2010095928.tif 000006
【図５】
2010095928.tif 000007
【図６】
2010095928.tif 000008
【図７】
2010095928.tif 000009
【図８】
2010095928.tif 000010
【図９】
2010095928.tif 000011
【図１０】
2010095928.tif 000012
【図１１】
2010095928.tif 000013
【図１２】
2010095928.tif 000014